(57)【特許請求の範囲】
【請求項１】
複数の周波数帯域に分割して圧縮されているデータを前記周波数帯域毎に伸張するデータ伸張部と、該データ伸張部で伸張されたデータをサンプリング周波数を同一にして合成する第１データ合成部と、前記データ伸張部で前記周波数帯域毎に分割されるとともに伸張されたデータの一部に対してバスブースト処理を施すバスブースト処理部と、前記データ合成部からのデータと前記バスブースト処理部からのデータとを合成する第２データ合成部と、を有するデータ再生装置において、
前記データ伸長部から出力される一部のデータのデータレベルをコントロールする第１アッテネータと、
前記バスブースト処理部によってバスブースト処理を行ったデータのデータレベルをコントロールする第２アッテネータと、
前記第１データ合成部で合成されたデータのデータレベルをコントロールする第３アッテネータと、
を備え、
前記バスブースト処理部によるバスブースト処理動作を停止させた後に、再度、前記バスブースト処理動作を行うとき、まず、前記第３アッテネータを動作させた後、次に、前記第１アッテネータと前記第２アッテネータを同時に動作させることを特徴とするデータ再生装置。
【請求項２】
前記バスブースト処理部によるバスブースト処理動作を行っているときに前記第１〜第３アッテネータうちの少なくとも１つのアッテネータによるゲインを変化させるとき、
まず、前記第１アッテネータを動作させて、前記データ伸張部からのデータのデータレベルが最大になるようにコントロールするとともに、前記第２アッテネータを動作させて、前記バスブースト処理部で前記バスブースト処理を行ったデータのデータレベルが零になるようにコントロールし、
次に、前記第１アッテネータを動作させて、前記データ伸張部からのデータのデータレベルを使用者が設定したデータレベルになるようにコントロールした後、
最後に、前記第２アッテネータと前記第３アッテネータを動作させて、前記バスブースト処理部で前記バスブースト処理を行ったデータのデータレベルと前記第１データ合成部で合成されたデータのデータレベルを、それぞれ、使用者が設定したデータレベルになるようにコントロールすることを特徴とする請求項１に記載のデータ再生装置。
【請求項３】
複数の周波数帯域に分割して圧縮されているデータを前記周波数帯域毎に伸張するデータ伸張部と、該データ伸張部で伸張されたデータをサンプリング周波数を同一にして合成する第１データ合成部と、前記データ伸張部で前記周波数帯域毎に分割されるとともに伸張されたデータの一部に対してバスブースト処理を施すバスブースト処理部と、前記データ合成部からのデータと前記バスブースト処理部からのデータとを合成する第２データ合成部と、を有するデータ再生装置において、
前記バスブースト処理部によるバスブースト処理動作を行っているときに前記第１〜第３アッテネータうちの少なくとも１つのアッテネータによるゲインを変化させるとき、
まず、前記第１アッテネータを動作させて、前記データ伸張部からのデータのデータレベルが最大になるようにコントロールするとともに、前記第２アッテネータを動作させて、前記バスブースト処理部で前記バスブースト処理を行ったデータのデータレベルが零になるようにコントロールし、
次に、前記第１アッテネータを動作させて、前記データ伸張部からのデータのデータレベルを使用者が設定したデータレベルになるようにコントロールした後、
最後に、前記第２アッテネータと前記第３アッテネータを動作させて、前記バスブースト処理部で前記バスブースト処理を行ったデータのデータレベルと前記第１データ合成部で合成されたデータのデータレベルを、それぞれ、使用者が設定したデータレベルになるようにコントロールすることを特徴とするデータ再生装置。
【請求項４】
電源投入後に初めてバスブースト処理部によるバスブースト処理動作を行うとき、前記前記第１〜第３アッテネータが、同じタイミングで動作を始めることを特徴とする請求項１〜請求項３のいずれかに記載のデータ再生装置。
【請求項５】
前記各アッテネータが、それぞれ、コントロールする前記各データのデータレベルをなだらかに変化させることを特徴とする請求項１〜請求項４のいずれかに記載のデータ再生装置。
【請求項６】
サンプリング周波数がＦｓとなるとき、
前記データ伸張部が、０以上Ｆｓ／８以下となる低周波数帯域のデータを周波数軸データから時間軸データに変換する第１軸変換器と、Ｆｓ／８以上Ｆｓ／４以下となる中間周波数帯域のデータを周波数軸データから時間軸データに変換する第２軸変換器と、Ｆｓ／４以上Ｆｓ／２以下となる高周波数帯域のデータを周波数軸データから時間軸データに変換する第３軸変換器と、を備え、
前記第１アッテネータ及び前記バスブースト処理部に前記第１軸変換器からのデータが入力されるとともに、前記データ合成部に、前記第１アッテネータからのデータと前記第２及び第３軸変換器からのデータが入力されることを特徴とする請求項１〜請求項５のいずれかに記載のデータ再生装置。
【発明の詳細な説明】
【０００１】
【発明の属する技術分野】
本発明は圧縮されているデータを再生する装置に係わり、特に音楽データなどの低周波数帯域を増幅するバスブースト機能を有するデータ再生装置に関する。
【０００２】
【従来の技術】
従来のバスブースト機能を有するデータ再生装置の例として、特開平９−１４８９４０号公報に記載されているデータ再生装置が提案されている。該従来のデータ再生装置について、音楽データを再生するＭＤ再生装置を用いて説明する。
【０００３】
該ＭＤ再生装置のブロック図を図３に示す。該ＭＤ再生装置は、記録媒体であるディスク１３に照射するレーザーを集光する対物レンズ１ａを備えた光ピックアップ１と、光ピックアップ１にて読みとったＲＦ信号を増幅するＲＦアンプ２と、該ＲＦ信号を音楽データに復調変換するデコーダ／信号処理回路３と、該音楽データをショックプルーフメモリ５に保持させるメモリコントローラ４と、該音楽データを元の大きさに伸長するデータ伸長回路６と、該データ伸長回路６で伸長された音楽データをアナログ信号に変換し出力するＤ／Ａコンバータ７と、光ピックアップ１がディスク１３上の目標のトラックに追従できるようにフィードバック制御するサーボ回路１１と、前記光ピックアップ１を前記ディスク１３の半径方向へ移動させる送りモータ８と、前記ディスク１３を回転させるスピンドルモータ９と、該サーボ回路１１からの制御信号により前記送りモータ８、前記スピンドルモータ９及び対物レンズ１ａのそれぞれの駆動装置を動作させるためのドライブ回路１０と、該ＭＤ再生装置を集中管理するマイクロコンピュータであるシステムコントローラ１２とからなる。
【０００４】
前記光ピックアップ１は、前記ディスク１３に光を照射した後に該ディスク１３からの反射光を取り込むヘッドであり、該ディスク１３に記録された変調されたデータである前記ＲＦ信号を読みとる。該ＲＦ信号は前記ＲＦアンプ２によって増幅された後、前記デコーダ／信号処理回路３に送られる。
【０００５】
該デコーダ／信号処理回路３では、該ＭＤ再生装置の各部を動作させるサブコードの処理などを行うために前記システムコントローラ１２と通信可能に設けられているとともに、前記増幅されたＲＦ信号を音楽データに復調変換し、かつ該音楽データに誤り訂正などの所定の処理を施す。該音楽データは、前記システムコントローラ１２の指示に従って前記ショックプルーフメモリ５の書き込み動作及び読みとり動作を行う前記メモリコントローラ４によって該ショックプルーフメモリ５に保持される。
【０００６】
また、該メモリコントローラ４は、前記ショックプルーフメモリ５から出力された音楽データを前記データ伸長回路６に転送する。該ショックプルーフメモリ５は、前記デコーダ／信号処理回路３から出力された音楽データを一時的に保持する半導体メモリであり、例えば４ＭビットのＤＲＡＭが用いられる。尚、該ショックプルーフメモリ５は、前記デコーダ／信号処理回路３と前記データ伸長回路６との間に配置され、該デコーダ／信号処理回路３から出力される音楽データの転送速度と該データ伸長回路６に入力される音楽データの転送速度を吸収することと振動などの外乱による再生の中断を防止するために保護することを目的として設けられている。
【０００７】
前記サーボ回路１１は前記システムコントローラ１２の指示に従い前記ＲＦアンプ２の出力に基づいて制御量を決定し、該制御量を制御信号として前記ドライブ回路１０に送出して、該ドライブ回路１０によって駆動される前記各駆動装置のフィードバック制御を行う。
【０００８】
前記伸長データ回路６は、ＡＴＲＡＣ（Adaptive TRansform Acoustic Coding）方式により圧縮された音楽データの圧縮を解いて、元の大きさの音楽データに伸長するとともに、バスブースト処理を行うための回路である。該伸長データ回路６の構成図を図４に示す。尚、該データ伸長回路６に入力される前記圧縮された音楽データは、Ｌバンド、Ｍバンド、Ｈバンドの３つの周波数帯域に分割されたスペクトラムデータ（周波数軸上のデータ）である。
【０００９】
ディスク１３上に記録されているデータがサンプリング周波数をＦｓでサンプリングされてたデータとすると、前記Ｌバンド、Ｍバンド、Ｈバンドは、それぞれ０〜Ｆｓ／８、Ｆｓ／８〜Ｆｓ／４、Ｆｓ／４〜Ｆｓ／２の周波数帯域を示す。
【００１０】
まず、前記Ｈバンド、Ｍバンド、Ｌバンドのそれぞれのスペクトラムデータが、それぞれ、Ｈバンド周波数→時間軸変換器６−１、Ｍバンド周波数→時間軸変換器６−２、Ｌバンド周波数→時間軸変換器６−３によって時間軸上のデータに変換される。この変換は、例えば、ＩＭＤＣＴ（Inverse Modifide Discrete Cosine Transformation）を用いて行われる。
【００１１】
変換された時間軸上の前記データのサンプリング周波数は、サンプリング定理により、それぞれ、ＨバンドではＦｓ／２、ＭバンドではＦｓ／４、ＬバンドではＦｓ／４となる。
【００１２】
次に、ＳｙｎｔｈｅｓｉｓＦｉｌｔｅｒ  ＬＭ６−５によって、前記変換されたＬバンドのデータと前記変換されたＭバンドのデータが合成され、Ｌ・Ｍバンドのデータ（０〜Ｆｓ／４の周波数帯域のデータ）が生成される。該Ｌ・Ｍバンドのデータのサンプリング周波数はＦｓ／２になる。
【００１３】
次に、遅延回路６−４でＳｙｎｔｈｅｓｉｓＦｉｌｔｅｒ  ＬＭ６−５の処理時間分遅延させた前記変換されたＨバンドのデータと、前記Ｌ・Ｍバンドのデータとが、ＳｙｎｔｈｅｓｉｓＦｉｌｔｅｒ  ＬＭＨ６−６によって合成され、Ｌ・Ｍ・Ｈバンドのデータ（０〜Ｆｓ／２の周波数帯域のデータ）が生成される。該Ｌ・Ｍ・Ｈバンドのデータのサンプリング周波数はＦｓとなる。
【００１４】
また、バスブースト用のデータは、以下のようにして作成される。まず、前記Ｌバンド周波数→時間軸変換器６−３によって変換されたサンプリング周波数がＦｓ／４のＬバンドのデータがバスブーストＬＰＦ６−７に入力され、該Ｌバンドのデータから低域周波数帯域のデータが取り出される。次に、オーバーサンプリング回路６−１０によって、前記バスブーストＬＰＦ６−７で取り出した低域周波数帯域のデータのサンプリング周波数がＦｓ／４からＦｓへと４倍にオーバーサンプリングする。
【００１５】
これは、前記Ｌ・Ｍ・Ｈバンドのデータと前記バスブーストＬＰＦ６−７で取り出した該低域周波数帯域のデータとを加算する時に、それぞれのデータのサンプリング周波数を同一のＦｓにしておく必要があるためである。
【００１６】
前記オーバーサンプリングされた低周波数帯域のデータと前記Ｌ・Ｍ・Ｈバンドのデータとは、それぞれ遅延回路６−１１、６−８で一定時間遅延された後に加算器６−９によって加算されてバスブーストされたデータを生成し、該データが前記Ｄ／Ａコンバータ７に出力される。
【００１７】
【発明が解決しようとする課題】
従来使用されているデータ再生装置では、前記バスブースト処理を行うときにのみ、前記データ伸長回路６内の前記バスブーストＬＰＦ６−７、前記オーバーサンプリング回路６−１０及び前記遅延回路６−１１が動作をする。
【００１８】
そのため、電源投入後一度バスブースト処理を行った後に一旦バスブースト処理を停止し、更にもう一度バスブースト処理を行ったとき、前記バスブーストＬＰＦ６−７、前記オーバーサンプリング回路６−１０及び前記遅延回路６−１１のレジスタ内に、前回バスブースト処理されたときのデータが保持されたままである。この前回バスブースト処理されたときに保持されているデータが前記遅延回路６−１１を通して送られ、前記遅延回路６−８から送られてくるデータと前記加算器６−９で加算されて前記Ｄ／Ａコンバータ７に送られる。
【００１９】
よって、出力される音データが前回バスブースト処理が行われたときの低周波数帯域の音が混入した音データとなったり、又、該音データのゲインが大きくなったときにはレベルクリップ処理が行われることがあるので該音データが異音として再生されることもある。
【００２０】
また、バスブーストの設定値を変更するとき、前記Ｌバンド周波数→時間軸変換器６−３の出力、前記オーバーサンプリング回路６−１０の出力、及び前記ＳｙｎｔｈｅｓｉｓＦｉｌｔｅｒ  ＬＭＨ６−６の出力の設定値が、一度に変更される。そのため、設定値の変更以前のデータが、前記ＳｙｎｔｈｅｓｉｓＦｉｌｔｅｒ  ＬＭＨ６−６に保持されている。該データは、前記Ｌバンド周波数→時間軸変換器６−３の出力の設定値が変更されていないデータであるために、前記ＳｙｎｔｈｅｓｉｓＦｉｌｔｅｒ  ＬＭＨ６−６の出力の設定値を変更すると、この出力のゲインが大きくなることがあり、このときレベルクリップ処理が行われる。よって、このレベルクリップ処理がおこなわれたデータが、異音として再生されることがある。
【００２１】
そこで、本発明のバスブースト切り替え装置は、電源投入後にバスブースト処理をＯＦＦの状態からＯＮの状態に２度以上切り替えたとき、２度目以降のバスブースト切り替え時に発生する異音を抑制することを目的とする。
【００２２】
また、本発明のバスブースト切り替え装置は、バスブーストの設定値を変更したときに発生する異音を抑制することを目的とする。
【００２３】
【課題を解決するための手段】
本発明のデータ再生装置は、複数の周波数帯域に分割して圧縮されているデータを前記周波数帯域毎に伸張するデータ伸張部と、該データ伸張部で伸張されたデータをサンプリング周波数を同一にして合成する第１データ合成部と、前記データ伸張部で前記周波数帯域毎に分割されるとともに伸張されたデータの一部に対してバスブースト処理を施すバスブースト処理部と、前記データ合成部からのデータと前記バスブースト処理部からのデータとを合成する第２データ合成部と、を有するデータ再生装置において、前記データ伸長部から出力される一部のデータのデータレベルをコントロールする第１アッテネータと、前記バスブースト処理部によってバスブースト処理を行ったデータのデータレベルをコントロールする第２アッテネータと、前記第１データ合成部で合成されたデータのデータレベルをコントロールする第３アッテネータと、を備え、前記バスブースト処理部によるバスブースト処理動作を停止させた後に、再度、前記バスブースト処理動作を行うとき、まず、前記第３アッテネータを動作させた後、次に、前記第１アッテネータと前記第２アッテネータを同時に動作させることを特徴とする。
【００２４】
又、本発明のデータ再生装置は、複数の周波数帯域に分割して圧縮されているデータを前記周波数帯域毎に伸張するデータ伸張部と、該データ伸張部で伸張されたデータをサンプリング周波数を同一にして合成する第１データ合成部と、前記データ伸張部で前記周波数帯域毎に分割されるとともに伸張されたデータの一部に対してバスブースト処理を施すバスブースト処理部と、前記データ合成部からのデータと前記バスブースト処理部からのデータとを合成する第２データ合成部と、を有するデータ再生装置において、前記バスブースト処理部によるバスブースト処理動作を行っているときに前記第１〜第３アッテネータうちの少なくとも１つのアッテネータによるゲインを変化させるとき、まず、前記第１アッテネータを動作させて、前記データ伸張部からのデータのデータレベルが最大になるようにコントロールするとともに、前記第２アッテネータを動作させて、前記バスブースト処理部で前記バスブースト処理を行ったデータのデータレベルが零になるようにコントロールし、次に、前記第１アッテネータを動作させて、前記データ伸張部からのデータのデータレベルを使用者が設定したデータレベルになるようにコントロールした後、最後に、前記第２アッテネータと前記第３アッテネータを動作させて、前記バスブースト処理部で前記バスブースト処理を行ったデータのデータレベルと前記第１データ合成部で合成されたデータのデータレベルを、それぞれ、使用者が設定したデータレベルになるようにコントロールすることを特徴とする。
【００２５】
前記アッテネータが、それぞれ、前記各データのデータレベルをなだらかに変化させることによって、異音の発生を防ぐ。
【００２８】
【発明の実施の形態】
以下に本発明の実施の形態について、図１〜３を参照にしながら説明する。図１は本発明を採用した図３に示すＭＤ再生装置内のデータ伸長回路６の構成図である。同図において、図４における従来のデータ伸長回路６と同一の部分は、同一の符号を付して詳細な説明は省略する。
【００２９】
本実施形態では、Ｌバンド周波数→時間軸変換器６−３とＳｙｎｔｈｅｓｉｓＦｉｌｔｅｒ  ＬＭ６−５との間に第１アッテネータ（ＨＭＬＥＶ）６−１２が、ＳｙｎｔｈｅｓｉｓＦｉｌｔｅｒ  ＬＭＨ６−６と遅延回路６−８の間に第３アッテネータ（ＢＢＬＥＶ１）６−１３が、オーバーサンプリング回路６−１０と遅延回路６−１１の間に第２アッテネータ（ＢＢＬＥＶ２）６−１４が、それぞれ接続されている。
【００３０】
前記ＨＭＬＥＶ  ６−１２は、Ｌバンドのデータのゲインを調整する。また、前記ＢＢＬＥＶ１  ６−１３は、Ｌ、Ｍ、Ｈバンドのデータが合成されたＬ・Ｍ・Ｈバンドのデータ（以下、メインデータとする。）のゲインを調整し、前記ＢＢＬＥＶ２  ６−１４は、オーバーサンプリングされた低周波数帯域のデータ（以下、バスブーストデータとする。）のゲインを調整する。これら各アッテネータは、設定値に応じて各データのゲインを変更する機能とは別に、該設定値に向かって滑らかに前記各データのゲインを変更する機能を持っている。
【００３１】
バスブーストの設定については、（１）ＭＤ再生装置に電源投入後最初のバスブーストＯＦＦ→ＯＮ、（２）ＭＤ再生装置に電源投入後２回目以降のバスブーストＯＦＦ→ＯＮ、（３）バスブーストの設定値（以下、ブーストレベルとする。）の変更、（４）バスブーストＯＮ→ＯＦＦの４つの場合での設定方法がある。これらの設定方法については、図２の簡易タイミングチャート図を用いて説明する。
【００３２】
まず、ＭＤ再生装置に電源投入後、初めてバスブースト処理を行うときの動作について説明する。このとき、遅延回路６−８、６−１１及びバスブーストＬＰＦ６−７内のレジスタのデータは初期化されている。よって、ＨＭＬＥＶ  ６−１２、ＢＢＬＥＶ１  ６−１３、及びＢＢＬＥＶ２  ６−１４を、図２（ａ）のように、同時に動作させて、Ｌバンドのデータ、メインデータ、及びバスブーストデータのゲインをシステムコントローラ１２（図３）内の不図示のマイコンによって設定されたレベルに向けて、徐々に変化させる。
【００３３】
次に、ＭＤ再生装置に電源投入後、一度バスブースト処理を停止させた後に、再度バスブースト処理を行うときの動作について、図２（ｂ）を参照して説明する。このとき、まず、メインデータのゲインを、ＢＢＬＥＶ１ ６−１３を動作させて、新しく設定されたレベルに変更する。その後、充分にタイミングを遅らせて、ＨＭＬＥＶ ６−１２及びＢＢＬＥＶ２ ６−１４を動作させることによって、Ｌバンドのデータのゲインとバスブーストデータのゲインを新しく設定したレベルに変更する。
【００３４】
こうすることによって、ＢＢＬＥＶ１  ６−１３を動作させてから、ＨＭＬＥＶ  ６−１２及びＢＢＬＥＶ２  ６−１４を動作させるまでの間に、バスブーストＬＰＦ６−７、オーバーサンプリング回路６−１０及び遅延回路６−１１内のレジスタに残っている、前回バスブースト処理を行ったときのデータを、排出する。
【００３５】
次に、バスブースト処理を行っているときに、使用者がＬバンドのデータ、メインデータ、及びバスブーストデータのゲインを変更することによって、ブーストレベルを変化させたときの動作について、図２（ｃ）を参照して説明する。
【００３６】
このとき、まず、Ｌバンドのデータのゲインを、ＨＭＬＥＶ  ６−１２を動作させて、１になるように変更するとともに、バスブーストデータのゲインをＢＢＬＥＶ２  ６−１４を動作させて、０になるように変更する。こうすることによって、バスブーストデータのゲインが押さえられるので、メインデータとバスブーストデータが加算されたデータ全体のゲインが平坦化される。
【００３７】
このようにしてデータ全体を平坦化した後、ＨＭＬＥＶ  ６−１２を動作させて、Ｌバンドのデータのゲインを、新しく設定されたレベルに向けて変更させる。その後、充分にタイミングを遅らせて、ＢＢＬＥＶ１  ６−１３及びＢＢＬＥＶ２  ６−１４をそれぞれ動作させることによって、メインデータ及びバスブーストデータのゲインを、新しく設定されたレベルに向けて変更させる。
【００３８】
これは、設定前のレベルのＬバンドのデータが融合されて作成されたメインデータと、該Ｌバンドのデータによって作成されたバスブーストデータとが、それぞれ新しく設定されたレベルで加算器６−９に送出されて加算されたときに、該加算器６−９から送出されるデータのゲインが１を超えることを防ぐためである。
【００３９】
最後に、バスブースト処理を停止したときの動作について、図２（ｄ）を参照して説明する。このとき、ＨＭＬＥＶ ６−１２、ＢＢＬＥＶ１ ６−１３、及びＢＢＬＥＶ２ ６−１４を同時に動作させ、Ｌバンドのデータ及びメインデータのゲインを１に、バスブーストデータのゲインを０になるように変化させる。
【００４０】
【発明の効果】
本発明によると、前記伸長データ、該伸長データが合成されたデータ、及びバスブースト処理が行われたデータなどの各データが出力される出力部にアッテネータを接続することによって、これらのデータのデータレベルが制御できるので、バスブースト処理の動作を行うためのスイッチの切り替え時やバスブーストレベルを変化させる時に発生する異音を防ぐことができる。
【００４１】
本発明によると、前記アッテネータによって、前記データのデータレベルを徐々に変化させることができるので、例えばＭＤ再生装置のような装置に該データ再生装置を用いたとき、バスブースト処理の動作を行うときの切り替え時などに音データを段階的に変化させて、使用者に違和感を与えなくすることができる。
【００４２】
本発明によると、前記アッテネータを個々に制御することができるので、例えばＭＤ再生装置のような装置に該データ再生装置を用いたとき、場合に応じて前記アッテネータを個々に動作させることによって、更に滑らかに音データを変化させることができる。
【００４３】
電源投入後一度バスブースト処理を行った後に一旦バスブースト処理を停止し、更にもう一度バスブースト処理を行ったとき、前記第１アッテネータと前記第３アッテネータを同時に動作させている間に、前回バスブースト処理を行った時に、前記バスブーストＬＰＦ６−７、前記オーバーサンプリング回路６−１０、及び前記遅延回路６−１１内のレジスタに残存しているデータを排出することで、異音の発生を防ぐことができる。
【００４４】
バスブーストの設定値を変更するときに、前記第２アッテネータを動作させて、前記バスブースト処理を行ったデータのデータレベルを零にすることによって、一旦音データ全体のデータレベルがレベルクリップされないように調整して、異音の発生を防ぐことができる。
【図面の簡単な説明】
【図１】本発明を採用したデータ伸長回路の構成図。
【図２】本発明を採用したデータ伸長回路内のアッテネータにおける簡易タイミングチャート。
【図３】ＭＤ再生装置のブロック図。
【図４】従来のデータ伸長回路の構成図。
【符号の説明】
１    光ピックアップ
１ａ    対物レンズ
２    ＲＦアンプ
３    デコーダ／信号処理回路
４    メモリコントローラ
５    ショックプルーフメモリ
６    データ伸長回路
７    Ｄ／Ａコンバータ
８    送りモータ
９    スピンドルモータ
１０    ドライブ回路
１１    サーボ回路
１２    システムコントローラ
１３    ディスク
６−１    Ｈバンド周波数→時間軸変換器
６−２    Ｍバンド周波数→時間軸変換器
６−３    Ｌバンド周波数→時間軸変換器
６−４    遅延回路
６−５    Ｓｙｎｔｈｅｓｉｓ  Ｆｉｌｔｅｒ  ＬＭ
６−６    Ｓｙｎｔｈｅｓｉｓ  Ｆｉｌｔｅｒ  ＬＭＨ
６−７    バスブーストＬＰＦ
６−８    遅延回路
６−９    加算器
６−１０    オーバーサンプリング回路
６−１１    遅延回路
６−１２    アッテネータＨＭＬＥＶ
６−１３    アッテネータＢＢＬＥＶ１
６−１４    アッテネータＢＢＬＥＶ２
【図１】
0003680155.tif 000002
【図２】
0003680155.tif 000003
【図３】
0003680155.tif 000004
【図４】
0003680155.tif 000005